(57)【特許請求の範囲】
【請求項１】
インターホンのスライドスイッチ（３）を含む電子部品（３０）および少なくとも前記スライドスイッチが搭載された基板（４）を前筐体（５ａ）、後筐体（５ｂ）間に装着し、前記後筐体は、前記スライドスイッチを操作するためのスライドツマミ（１）を前記後筐体下側方向（ｘ１）へ係止するための弾性リブ（２）を有し、前記スライドツマミを前記後筐体の内壁（９）と前記弾性リブとの間に摺動自在に嵌合し、前記スライドツマミは、前記スライドスイッチのスイッチ操作部（８）を嵌合するための嵌合溝（１７）を有することを特徴とするインターホンのスイッチ取付構造。
【請求項２】
前記後筐体は、前記スライドツマミを差し込むためのガイドライン（６）を有することを特徴とする請求項１記載のインターホンのスイッチ取付構造。
【発明の詳細な説明】
【０００１】
【発明の属する技術分野】
本発明はインターホンのスイッチ取付構造に係り、特にスライドスイッチのスライドツマミを筐体に取付けるにあたり、押さえ用の構造が単純で、確実な押さえが可能なインターホンのスイッチ取付構造に関する。
【０００２】
【従来の技術】
従来、この種のインターホンのスイッチ取付構造としては、図３に示すとおり、インターホンのスライドスイッチ３９を含む電子部品（図示せず）が搭載された基板４０が上筐体５０、下筐体５１間に装着され、スライドスイッチ３９のスイッチ操作部３８を操作するためのスライドツマミ３７がスイッチ操作部３８に取付けられ、このスライドツマミ３７を摺動するための摺動リブ５２が下筐体５１に設けられ、スライドツマミ３７を図において上下方向に押さえるための押さえリブ５３が上筐体５０に設けられている。
【０００３】
【発明が解決しようとする課題】
上記従来のインターホンのスイッチ取付構造は、スライドツマミ３７を摺動させるための摺動リブ５２を下筐体５１に設け、この摺動リブ５２に装着されたスライドツマミ３７を図３において下方向に押さえるために押さえリブ５３が必要であり、下筐体５１の摺動リブ５２に対向した押さえリブ５３が上筐体５０に設けられていた。
【０００４】
さらに、スライドツマミ３７の先端部３６が配設されるのは、上筐体５０と下筐体５１との接合部に限定されてしまうという難点があった。
【０００５】
本発明は、これら難点を解決するためになされたもので、押さえ用の構造が単純で、確実な押さえが可能であり、前後筐体の接合部に限定されずスライドツマミが使用できるインターホンのスイッチ取付構造を提供することを目的とする。
【０００６】
【課題を解決するための手段】
上記課題を解決するために本発明のインターホンのスイッチ取付構造は、インターホンのスライドスイッチを含む電子部品および少なくともスライドスイッチが搭載された基板を前筐体、後筐体間に装着し、後筐体は、スライドスイッチを操作するためのスライドツマミを後筐体下側方向へ係止するための弾性リブを有し、スライドツマミを後筐体の内壁と弾性リブとの間に摺動自在に嵌合し、スライドツマミは、スライドスイッチのスイッチ操作部を嵌合するための嵌合溝を有するものである。
【０００７】
また、本発明のインターホンのスイッチ取付構造は、後筐体は、スライドツマミを差し込むためのガイドラインを有するものである。
【０００８】
このようなインターホンのスイッチ取付構造によれば、前筐体と後筐体との接合部に限定されず、押さえ用の構造が単純で、確実な押さえが可能なインターホンのスイッチ取付構造がえられる。
【０００９】
【発明の実態の形態】
以下に、本発明によるインターホンのスイッチ取付構造を図面を参照して詳述する。
【００１０】
図２に示すように、本発明は、スピーカ３１、マイク３２、ＣＲＴ３３を備えたインターホンにおいて、インターホン設置の際に、スピーカ３１の呼出し音、およびＣＲＴ３３の明るさの調整を行うスライドスイッチ３（図１）を筐体５に取付けるインターホンのスイッチ取付構造に関わるものである。
【００１１】
図１に示すように、インターホンのスライドスイッチ３を含む電子部品３０および少なくともスライドスイッチ３が搭載された基板４が、前筐体５ａ、後筐体５ｂ間に装着されている。
【００１２】
スライドスイッチ３にはスイッチ操作部８が延設され、スイッチ操作部８は後述するようにスライドツマミ１に固定される。
【００１３】
スライドツマミ１は、電子機器の基板４に搭載されるスライドスイッチ３のスイッチ操作部８を嵌合することによってｙ方向への係止をするための嵌合溝１７を有し、この嵌合溝１７の延長方向に、インターホン設置の際に、スピーカ３１の呼出し音、およびＣＲＴ３３の明るさの調整を行う外部操作部１１（図２）が延設されている。
【００１４】
後筐体５ｂの内壁９には、図１に示すように、スライドツマミ１を上から差し込むためのガイドライン６が設けられている。ガイドライン６は、内壁９に浅い溝として刻設されているが、線を描くだけでも好適である。このガイドライン６はスライドツマミ１の外部操作部１１の位置決めとして使用される。
【００１５】
ガイドライン６の端にはスライドツマミ１の外部操作部１１が挿通されスライドするスライド孔７が穿設されている。
【００１６】
後筐体５ｂには、スライドツマミ１を後筐体５ｂの下側方向x1へ係止し、外部操作部１１をスライド孔７に押し出すための弾性リブ２が内壁９と平行に立設され、スライドツマミ１は、後筐体５ｂの内壁９と弾性リブ２との間に摺動自在に嵌合されている。
【００１７】
このように構成されたインターホンのスイッチ取付構造において、その動作を以下に説明する。
【００１８】
後筐体５ｂの内壁９のガイドライン６にそってスライドツマミ１を差し込む。このとき、後筐体５ｂの弾性リブ２がx2方向に押し広げられ、スライドツマミ１の押し込みが可能となる。スライドツマミ１が後筐体５ｂに嵌合されると弾性リブ２が元にもどり、スライドツマミ１をx1方向に係止する。
【００１９】
次に、スライドスイッチ３が搭載されている電子機器の基板４を筐体５に配設し、スライドスイッチ３のスイッチ操作部８をスライドツマミ１の嵌合溝１７に嵌合する。さらに基板４を筐体５にビス止め(図示せず)することによってスライドツマミ１はスイッチ操作部８でｙ方向へ係止される。
【００２０】
以上のようにセットされたスライドスイッチ３により、後筐体５ｂのスライド孔７から筐体５の外にのぞいた外部操作部１１を操作して、インターホンのＣＲＴの明るさやスピーカの音量を所望の状態に設定することができる。
【００２１】
【発明の効果】
以上の説明から明らかなように、本発明によるインターホンのスイッチ取付構造によれば、インターホンのスライドスイッチを含む電子部品および少なくともスライドスイッチが搭載された基板を前筐体、後筐体間に装着し、後筐体は、スライドスイッチを操作するためのスライドツマミを後筐体下側方向へ係止するための弾性リブを有し、スライドツマミを後筐体の内壁と弾性リブとの間に摺動自在に嵌合し、スライドツマミは、スライドスイッチのスイッチ操作部を嵌合するための嵌合溝を有し、後筐体は、スライドツマミを差し込むためのガイドラインを有するので、構造が単純で、確実な押さえが可能であり、前後筐体の接合部に限定されずスライドツマミが使用できる。
【図面の簡単な説明】
【図１】  本発明によるインターホンのスイッチ取付構造の一実施例を示す部分斜視図である。
【図２】  本発明によるインターホンのスイッチ取付構造を示す外観図である。
【図３】  従来のインターホンのスイッチ取付構造を示す部分断面図である。
【符号の説明】
１……スライドツマミ
２……弾性リブ
３……スライドスイッチ
４……基板
５ａ……前筐体
５ｂ……後筐体
６……ガイドライン
８……スイッチ操作部
９……後筐体の内壁
１７……嵌合溝
ｘ１……後筐体下側方向
【図１】
0004536886.tif 000002
【図２】
0004536886.tif 000003
【図３】
0004536886.tif 000004